【手続補正書】
【提出日】平成18年8月24日(2006.8.24)
【手続補正１】
【補正対象書類名】明細書
【補正対象項目名】特許請求の範囲
【補正方法】変更
【補正の内容】
【特許請求の範囲】
【請求項１】  被写体を撮像する撮像素子と、前記撮像素子で撮像した被写体画像を表示する表示手段と、時間を計測する計測手段と、操作入力が所定時間なかったときに前記表示手段の表示動作を停止させるように制御する制御手段とを有する撮像装置であって、
前記撮像装置の電源状態を検出する電源状態検出手段と、
前記電源状態検出手段によって検出された電源状態に応じて前記制御手段の所定時間を変更する変更手段とを備えたことを特徴とする撮像装置。
【請求項２】  前記電源状態検出手段は撮像装置の電源電圧を検出するとともに、前記変更手段は前記検出された電源電圧に応じて前記制御手段の所定時間を変更することを特徴とする請求項１記載の撮像装置。
【請求項３】  前記制御手段の所定時間を設定する時間設定手段と、前記所定時間に変更するための基準電圧を設定する基準電圧設定手段とをさらに備えることを特徴とする請求項２記載の撮像装置。
【請求項４】  被写体を撮像する撮像素子と、前記撮像素子で撮像した被写体画像を表示する表示手段と、時間を計測する計測手段と、操作入力が所定時間なかったときに前記表示手段の表示動作を停止させるように制御する制御手段とを有する撮像装置であって、
前記撮像装置の内部温度を検出する温度検出手段と、
前記温度検出手段によって検出された温度に応じて前記所定時間を変更する変更手段とを備えたことを特徴とする撮像装置。
【請求項５】  使用者が前記所定時間を設定する時間設定手段と、前記使用者が前記所定時間に変更するための温度を設定する温度設定手段とをさらに備えることを特徴とする請求項４記載の撮像装置。
【請求項６】  被写体を撮像する撮像素子と、前記撮像素子で撮像した被写体画像を表示する表示手段と、時間を計測する計測手段と、操作入力が所定時間なかったときに前記表示手段の表示動作を停止させるように制御する制御手段とを有する撮像装置であって、
前記撮像装置の電源状態を検出する電源状態検出手段と、
前記撮像装置の内部温度を検出する温度検出手段と、
前記電源状態検出手段によって検出された電源状態および前記温度検出手段によって検出された温度に応じて前記所定時間を変更する変更手段とを備えたことを特徴とする撮像装置。
【請求項７】  前記変更手段は、前記電源状態検出手段によって検出された電源状態に基づいて求めた所定時間と、前記温度検出手段によって検出された温度に基づいて求めた所定時間とを比較して、より短い方の所定時間に変更することを特徴とする請求項６に記載の撮像装置。
【請求項８】  前記制御手段は前記表示手段の表示動作を停止させて所定の待機状態とするように制御することを特徴とする請求項１ないし７のいずれかに記載の撮像装置。
【請求項９】  前記表示手段は表示素子と、前記表示素子を照明するバックライト照明とを有するとともに、前記制御手段は少なくとも前記バックライト照明の照明動作を停止させることを特徴とする請求項８記載の撮像装置。
【請求項１０】  被写体を撮像する撮像素子と、前記撮像素子で撮像した被写体画像を表示する表示手段と、時間を計測する計測手段と、操作入力が所定時間なかったときに前記表示手段の表示動作を停止させるように制御する制御手段とを有する撮像装置の制御方法であって、
前記撮像装置の電源状態を検出する電源状態検出ステップと、
前記電源状態検出ステップによって検出された電源状態に応じて前記制御手段の所定時間を変更する変更ステップとを備えたことを特徴とする撮像装置の制御方法。
【請求項１１】  被写体を撮像する撮像素子と、前記撮像素子で撮像した被写体画像を表示する表示手段と、時間を計測する計測手段と、操作入力が所定時間なかったときに前記表示手段の表示動作を停止させるように制御する制御手段とを有する撮像装置の制御方法であって、
前記撮像装置の内部温度を検出する温度検出ステップと、
前記温度検出ステップによって検出された温度に応じて前記所定時間を変更する変更ステップとを備えたことを特徴とする撮像装置の制御方法。
【請求項１２】  被写体を撮像する撮像素子と、前記撮像素子で撮像した被写体画像を表示する表示手段と、時間を計測する計測手段と、操作入力が所定時間なかったときに前記表示手段の表示動作を停止させるように制御する制御手段とを有する撮像装置の制御方法であって、
前記撮像装置の電源状態を検出する電源状態検出ステップと、
前記撮像装置の内部温度を検出する温度検出ステップと、
前記電源状態検出ステップによって検出された電源状態および前記温度検出ステップによって検出された温度に応じて前記所定時間を変更する変更ステップとを備えたことを特徴とする撮像装置の制御方法。
【手続補正２】
【補正対象書類名】明細書
【補正対象項目名】０００９
【補正方法】変更
【補正の内容】
【０００９】
本発明の撮像装置は、被写体を撮像する撮像素子と、前記撮像素子で撮像した被写体画像を表示する表示手段と、時間を計測する計測手段と、操作入力が所定時間なかったときに前記表示手段の表示動作を停止させるように制御する制御手段とを有する撮像装置であって、前記撮像装置の電源状態を検出する電源状態検出手段と、前記電源状態検出手段によって検出された電源状態に応じて前記制御手段の所定時間を変更する変更手段とを備えたことを特徴とする。
【手続補正３】
【補正対象書類名】明細書
【補正対象項目名】００１０
【補正方法】変更
【補正の内容】
【００１０】
本発明の撮像装置は、被写体を撮像する撮像素子と、前記撮像素子で撮像した被写体画像を表示する表示手段と、時間を計測する計測手段と、操作入力が所定時間なかったときに前記表示手段の表示動作を停止させるように制御する制御手段とを有する撮像装置であって、前記撮像装置の内部温度を検出する温度検出手段と、前記温度検出手段によって検出された温度に応じて前記所定時間を変更する変更手段とを備えたことを特徴とする。
【手続補正４】
【補正対象書類名】明細書
【補正対象項目名】００１１
【補正方法】変更
【補正の内容】
【００１１】
本発明の撮像装置は、被写体を撮像する撮像素子と、前記撮像素子で撮像した被写体画像を表示する表示手段と、時間を計測する計測手段と、操作入力が所定時間なかったときに前記表示手段の表示動作を停止させるように制御する制御手段とを有する撮像装置であって、前記撮像装置の電源状態を検出する電源状態検出手段と、前記撮像装置の内部温度を検出する温度検出手段と、前記電源状態検出手段によって検出された電源状態および前記温度検出手段によって検出された温度に応じて前記所定時間を変更する変更手段とを備えたことを特徴とする。
【手続補正５】
【補正対象書類名】明細書
【補正対象項目名】００１２
【補正方法】変更
【補正の内容】
【００１２】
本発明の制御方法は、被写体を撮像する撮像素子と、前記撮像素子で撮像した被写体画像を表示する表示手段と、時間を計測する計測手段と、操作入力が所定時間なかったときに前記表示手段の表示動作を停止させるように制御する制御手段とを有する撮像装置の制御方法であって、前記撮像装置の電源状態を検出する電源状態検出ステップと、前記電源状態検出ステップによって検出された電源状態に応じて前記制御手段の所定時間を変更する変更ステップとを備えたことを特徴とする。
【手続補正６】
【補正対象書類名】明細書
【補正対象項目名】００１３
【補正方法】変更
【補正の内容】
【００１３】
本発明の制御方法は、被写体を撮像する撮像素子と、前記撮像素子で撮像した被写体画像を表示する表示手段と、時間を計測する計測手段と、操作入力が所定時間なかったときに前記表示手段の表示動作を停止させるように制御する制御手段とを有する撮像装置の制御方法であって、前記撮像装置の内部温度を検出する温度検出ステップと、前記温度検出ステップによって検出された温度に応じて前記所定時間を変更する変更ステップとを備えたことを特徴とする。
【手続補正７】
【補正対象書類名】明細書
【補正対象項目名】００１４
【補正方法】変更
【補正の内容】
【００１４】
本発明の制御方法は、被写体を撮像する撮像素子と、前記撮像素子で撮像した被写体画像を表示する表示手段と、時間を計測する計測手段と、操作入力が所定時間なかったときに前記表示手段の表示動作を停止させるように制御する制御手段とを有する撮像装置の制御方法であって、前記撮像装置の電源状態を検出する電源状態検出ステップと、前記撮像装置の内部温度を検出する温度検出ステップと、前記電源状態検出ステップによって検出された電源状態および前記温度検出ステップによって検出された温度に応じて前記所定時間を変更する変更ステップとを備えたことを特徴とする。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】０１２６
【補正方法】変更
【補正の内容】
【０１２６】
【発明の効果】
以上説明したように、本発明によれば、操作入力が所定時間なかったときに表示手段の表示動作を停止させる時間を、電源状態により変更することで、より効率的な省エネ対策を図ることができ、急に撮影が不可能になるというトラブルを防止することができるという効果がある。
【手続補正２３】
【補正対象書類名】明細書
【補正対象項目名】０１２７
【補正方法】削除
【補正の内容】
【手続補正２４】
【補正対象書類名】明細書
【補正対象項目名】０１２８
【補正方法】変更
【補正の内容】
【０１２８】
また、操作入力が所定時間なかったときに表示手段の表示動作を停止させる時間を、装置内部の温度により変更することで、例えば低温環境下での無駄な電力の消費を防止することができるという効果がある。
【手続補正２５】
【補正対象書類名】明細書
【補正対象項目名】０１２９
【補正方法】変更
【補正の内容】
【０１２９】
また、操作入力が所定時間なかったときに表示手段の表示動作を停止させる時間を、電源状態および装置内部の温度により変更することで、さらに効率よく使用することができ、急に撮影が不可能になるというトラブルを防止することができるという効果がある。